(57)【要約】【課題】  携帯電話機固有の構成部品のバラツキを反映させた電子ボリューム設定値の調整により、携帯通信端末の初期調整を効率化し得る通信信号レベル調整装置を提供する。【解決手段】  通信信号レベル調整装置１０は、携帯電話機１１の送信電力を測定するＴＳＥ１２のＲＸ部１２ａと、受信回路１５ｂに規定レベルの信号を送信するＴＳＥ１２のＴＸ部１２ｂと、携帯電話機１１の電子ボリューム１６ａの送信設定値、受信設定値を各々調整するＰＣ１３，ＡＤＰ１４とを備え、当該携帯電話機１１の構成部品のバラツキを反映させた調整値を用いて、送信電力測定値と送信電力目標値とに基づき３回以内の調整で初期調整が完了するよう電子ボリューム送信設定値を調整して送信電力を初期調整し、受信検出レベル測定値と受信信号レベル目標値とに基づき３回以内の調整で初期調整が完了するよう電子ボリューム受信設定値を調整して受信検出レベルを初期調整する。【選択図】図１
2007036594.tif 000002
【特許請求の範囲】
【請求項１】
携帯通信端末の電子ボリュームの送信設定値を調整することにより前記携帯通信端末から送信される信号の送信信号レベルを初期調整する、携帯通信端末の通信信号レベル調整装置であって、
前記携帯通信端末から送信される信号の送信信号レベルを測定する送信信号レベル測定手段と、
前記携帯通信端末の電子ボリュームの送信設定値を調整する電子ボリューム調整手段と、
前記送信信号レベル測定手段により測定した送信信号レベル測定値と、前記電子ボリューム調整手段によって調整した電子ボリュームの送信設定値に対応する送信信号レベル目標値とに基づいて、３回以内の電子ボリューム送信設定値の調整で送信信号レベルの初期調整が完了するように、当該携帯通信端末の構成部品のバラツキを反映させた調整値を用いて前記電子ボリュームの送信設定値を調整することにより送信信号レベルを初期調整する送信信号レベル初期調整手段と、
を具備して成ることを特徴とする携帯通信端末の通信信号レベル調整装置。
【請求項２】
携帯通信端末の電子ボリュームの受信設定値を調整することにより前記携帯通信端末で受信される信号の受信信号レベルを初期調整する、携帯通信端末の通信信号レベル調整装置であって、
前記携帯通信端末で受信される信号の受信信号レベルを測定する受信信号レベル測定手段と、
前記携帯通信端末の電子ボリュームの受信設定値を調整する電子ボリューム調整手段と、
前記受信信号レベル測定手段により測定した受信信号レベル測定値と、前記電子ボリューム調整手段によって調整した電子ボリュームの受信設定値に対応する受信信号レベル目標値とに基づいて、３回以内の電子ボリューム受信設定値の調整で受信信号レベルの初期調整が完了するように、当該携帯通信端末の構成部品のバラツキを反映させた調整値を用いて前記電子ボリュームの受信設定値を調整することにより受信信号レベルを初期調整する受信信号レベル初期調整手段と、
を具備して成ることを特徴とする携帯通信端末の通信信号レベル調整装置。
【請求項３】
携帯通信端末の電子ボリュームの送信設定値および受信設定値を調整することにより前記携帯通信端末から送信される信号の送信信号レベルおよび前記携帯通信端末で受信される信号の受信信号レベルをそれぞれ初期調整する、携帯通信端末の通信信号レベル調整装置であって、
前記携帯通信端末から送信される信号の送信信号レベルを測定する送信信号レベル測定手段と、
前記携帯通信端末で受信される信号の受信信号レベルを測定する受信信号レベル測定手段と、
前記携帯通信端末の電子ボリュームの送信設定値および受信設定値をそれぞれ調整する電子ボリューム調整手段と、
前記送信信号レベル測定手段により測定した送信信号レベル測定値と、前記電子ボリューム調整手段によって調整した電子ボリュームの送信設定値に対応する送信信号レベル目標値とに基づいて、３回以内の電子ボリューム送信設定値の調整で送信信号レベルの初期調整が完了するように、当該携帯通信端末の構成部品のバラツキを反映させた調整値を用いて前記電子ボリュームの送信設定値を調整することにより送信信号レベルの初期調整を行う送信信号レベル初期調整手段と、
前記受信信号レベル測定手段により測定した受信信号レベル測定値と、前記電子ボリューム調整手段によって調整した電子ボリュームの受信設定値に対応する受信信号レベル目標値とに基づいて、３回以内の電子ボリューム受信設定値の調整で受信信号レベルの初期調整が完了するように、当該携帯通信端末の構成部品のバラツキを反映させた調整値を用いて前記電子ボリュームの受信設定値を調整することにより受信信号レベルの初期調整を行う受信信号レベル初期調整手段と、
を具備して成ることを特徴とする携帯通信端末の通信信号レベル調整装置。
【請求項４】
前記送信信号レベルを含む電波法に基づく各種要求事項を満足しているか否かの確認のための特性試験を自動的に実行する要求事項確認手段と、前記受信信号レベルを含む携帯通信端末に定められた方式を満足しているか否かの確認のための特性試験を自動的に実行する方式確認手段とをさらに備えることを特徴とする、請求項１〜３の何れか１項記載の携帯通信端末の通信信号レベル調整装置。
【請求項５】
前記送信信号レベル初期調整手段は、良品判定された同一機種の携帯通信端末における電子ボリュームの送信設定値の平均値を電子ボリュームに設定した状態で前記送信信号レベル測定手段によって測定した送信信号レベル測定値が規格外である場合に限り、前記送信信号レベル測定値と前記平均値に対応する送信信号レベル目標値との差分値を固定係数で除算した演算値を前記平均値に加算して第１調整値を求め、該第１調整値に電子ボリュームの送信設定値を調整する電子ボリューム送信設定値の１回目の調整を行った状態で前記送信信号レベル測定手段によって送信信号レベルを測定し、得られた送信信号レベル測定値が規格外である場合に限り、１回目の調整前の送信信号レベル測定値と１回目の調整後の送信信号レベル測定値との差分値を１回目の調整前の電子ボリュームの送信設定値と１回目の調整後の電子ボリュームの送信設定値との差分値で除算して可変係数を求め、前記１回目の調整後の送信信号レベル測定値と前記第１調整値に対応する送信信号レベル目標値との差分値を前記可変係数で除算した演算値を前記平均値に加算して第２調整値を求め、該第２調整値に電子ボリュームの送信設定値を調整する２回目の電子ボリューム送信設定値の調整を行った状態で前記送信信号レベル測定手段によって送信信号レベルを測定し、得られた送信信号レベル測定値が規格外であるか否かを判定するようにしたことを特徴とする請求項１、３または４記載の携帯通信端末の通信信号レベル調整装置。
【請求項６】
前記受信信号レベル初期調整手段は、良品判定された同一機種の携帯通信端末における電子ボリュームの受信設定値の平均値を電子ボリュームに設定した状態で前記受信信号レベル測定手段によって測定した受信信号レベル測定値が規格外である場合に限り、前記受信信号レベル測定値と前記平均値に対応する受信信号レベル目標値との差分値を固定係数で除算した演算値を前記平均値に加算して第１調整値を求め、該第１調整値に電子ボリュームの受信設定値を調整する電子ボリューム受信設定値の１回目の調整を行った状態で前記受信信号レベル測定手段によって受信信号レベルを測定し、得られた受信信号レベル測定値が規格外である場合に限り、１回目の調整前の受信信号レベル測定値と１回目の調整後の受信信号レベル測定値との差分値を１回目の調整前の電子ボリュームの受信設定値と１回目の調整後の電子ボリュームの受信設定値との差分値で除算して可変係数を求め、前記１回目の調整後の受信信号レベル測定値と前記第１調整値に対応する受信信号レベル目標値との差分値を前記可変係数で除算した演算値を前記平均値に加算して第２調整値を求め、該第２調整値に電子ボリュームの受信設定値を調整する２回目の電子ボリューム送信設定値の調整を行った状態で前記受信信号レベル測定手段によって受信信号レベルを測定し、得られた受信信号レベル測定値が規格外であるか否かを判定するようにしたことを特徴とする請求項２、３または４記載の携帯通信端末の通信信号レベル調整装置。
【請求項７】
前記要求事項確認手段は、前記携帯通信端末から送信される信号の、送信電力、周波数安定度、変調精度、隣接チャネル漏洩電力および占有周波数帯域幅の各項目について、前記送信信号レベル測定手段によって測定される前記携帯通信端末から送信される信号の周波数および電力の測定値と、前記電子ボリューム調整手段によって調整される前記携帯通信端末の電子ボリュームの送信設定値とを測定および制御可能な試験プログラムと、該試験プログラムを内蔵するパーソナルコンピュータとによって構成されることを特徴とする請求項１、３、４または５記載の携帯通信端末の通信信号レベル調整装置。
【請求項８】
前記方式確認手段は、前記携帯通信端末で受信される信号の、受信感度、受信信号レベル検出精度および過大入力特性の各項目について、前記受信信号レベル測定手段によって測定される前記携帯通信端末で受信される信号の周波数および電力の測定値と、前記電子ボリューム調整手段によって調整される前記携帯通信端末の電子ボリュームの受信設定値とを測定および制御可能な試験プログラムと、該試験プログラムを内蔵するパーソナルコンピュータとによって構成されることを特徴とする請求項２、３、４または６記載の携帯通信端末の通信信号レベル調整装置。
【発明の詳細な説明】
【技術分野】
【０００１】
本発明は、携帯通信端末の電子ボリュームの送信設定値および受信設定値を調整することにより携帯通信端末から送信される信号の送信信号レベルおよび携帯通信端末で受信される信号の受信信号レベルを初期調整する際に効率的に初期調整を行うようにした、携帯通信端末の通信信号レベル調整装置に関するものである。
【背景技術】
【０００２】
携帯電話機等の携帯通信端末の製造ラインでは、携帯通信端末の構成部品であるＲＦモジュールやベースバンドＬＳＩ等のバラツキによって携帯通信端末から送信される信号の送信信号レベル（送信電力）や携帯通信端末で受信される信号の受信信号レベルが異なるものとなるため、携帯通信端末の電子ボリュームの送信設定値および受信設定値の調整と、調整後の携帯通信端末の送信信号レベルおよび受信信号レベルの測定とを繰り返すことにより、携帯通信端末の送信信号レベルおよび受信信号レベルが規格内に入るように初期調整するのが一般的である。しかし、この調整方法では、送信／受信信号レベル測定値と携帯通信端末の電子ボリュームの送信／受信設定値に対応する送信／受信信号レベル目標値との差分値を固定係数で除算した演算値を今回の送信／受信設定値に加えた値を携帯通信端末の電子ボリュームの送信／受信設定値として用いる調整を、送信／受信信号レベル測定値と送信／受信信号レベル目標値との差分値が規格内に入るまで繰り返すため、ＲＦモジュールやベースバンドＬＳＩ等のバラツキが大きい場合には、何度も電子ボリュームの送信／受信設定値の変更（調整）および測定を繰り返すことになるため、多大な調整時間が掛かってしまう。
【０００３】
そこで、携帯通信端末の送信信号の信号レベル（送信電力）を初期調整する従来技術として、調整済みの同一機種の携帯通信端末（すなわち、良品判定された同一機種の携帯通信端末）における電子ボリュームの送信設定値の平均値を調整対象とする携帯通信端末の電子ボリュームに設定することにより調整時間の短縮を図るようにした送信電力調整装置（例えば特許文献１参照）が提案されている。この従来技術は、調整済みの同一機種の携帯通信端末における電子ボリュームの送信設定値の平均値を最初から電子ボリュームに設定するので、ＲＦモジュールやベースバンドＬＳＩ等のバラツキが小さい場合には、僅かな調整で良品判定される可能性が高いと推定されるので、調整時間が短縮される可能性が高くなる。
【０００４】
【特許文献１】特開平１１−１７７４４５号公報
【発明の開示】
【発明が解決しようとする課題】
【０００５】
上記従来技術の携帯通信端末の送信電力調整装置は、必須調整項目である送信信号の信号レベル（送信電力）の調整および受信信号の信号レベルの内の、送信信号の信号レベルの調整技術のみを開示しており、携帯通信端末の構成部品であるＲＦモジュールやベースバンドＬＳＩ等のバラツキを吸収するために電子ボリュームの送信設定値の調整を行うが、その際には、図５のフローチャートのステップＳ１０１〜ステップ１０６に示すように、調整済みの同一機種の携帯通信端末における電子ボリュームの送信設定値の平均値ｍを調整対象とする携帯通信端末の電子ボリュームに設定したときの送信信号レベル測定値（送信電力測定値）と、該送信設定値に対応する送信信号レベル目標値との差分値を固定係数Ａで除算した演算値Ｂを用いて次回の電子ボリュームの送信設定値Ｃ＝ｍ＋Ｂを算出し、算出した電子ボリュームの送信設定値Ｃ＝ｍ＋Ｂを用いて電子ボリュームの送信設定値の調整および送信信号レベルの測定を繰り返して送信信号レベル測定値を送信信号レベル目標値に追い込む調整を行うようにしているため、以下に説明するような問題が生じてしまう。
第１に、携帯通信端末の電子ボリュームの送信設定値の変更に伴う送信信号レベル測定値の変動幅が小さい場合には、上述したような固定係数による電子ボリュームの送信設定値の調整を行うため、送信信号レベル目標値に対して送信信号レベル測定値が徐々に近付いていくことになるので、調整回数が多くなってしまい、多大な調整時間が掛かることになる。
第２に、携帯通信端末の電子ボリュームの送信設定値の変更に伴う送信信号レベル測定値の変動幅が大きい場合には、上述したような固定係数による電子ボリュームの送信設定値の調整を行うため、送信信号レベル目標値に対して送信信号レベル測定値が往復しながら近付いていくことになるので、調整回数が多くなり、多大な調整時間が掛かってしまう。
第３に、上記従来技術の携帯通信端末の送信電力調整装置は、必須調整項目である送信信号の信号レベル（送信電力）の調整技術のみを開示しており、必須調整項目である受信信号の信号レベルの調整技術は開示していないが、受信信号の信号レベルの調整の場合も上述した送信信号の信号レベルの調整の場合と同様の問題が生じる。
【０００６】
本発明は、調整対象とする携帯通信端末固有の構成部品のバラツキを反映させた電子ボリューム設定値の調整を行うことにより、携帯通信端末の製造ライン等における初期調整を効率化するようにした携帯通信端末の通信信号レベル調整装置を提供することを目的とする。
【課題を解決するための手段】
【０００７】
上記目的を達成するため、請求項１に記載の第１発明は、携帯通信端末の電子ボリュームの送信設定値を調整することにより前記携帯通信端末から送信される信号の送信信号レベルを初期調整する、携帯通信端末の通信信号レベル調整装置であって、前記携帯通信端末から送信される信号の送信信号レベルを測定する送信信号レベル測定手段と、前記携帯通信端末の電子ボリュームの送信設定値を調整する電子ボリューム調整手段と、前記送信信号レベル測定手段により測定した送信信号レベル測定値と、前記電子ボリューム調整手段によって調整した電子ボリュームの送信設定値に対応する送信信号レベル目標値とに基づいて、３回以内の電子ボリューム送信設定値の調整で送信信号レベルの初期調整が完了するように、当該携帯通信端末の構成部品のバラツキを反映させた調整値を用いて前記電子ボリュームの送信設定値を調整することにより送信信号レベルを初期調整する送信信号レベル初期調整手段と、を具備して成ることを特徴とする。
【０００８】
上記目的を達成するため、請求項２に記載の第２発明は、携帯通信端末の電子ボリュームの受信設定値を調整することにより前記携帯通信端末で受信される信号の受信信号レベルを初期調整する、携帯通信端末の通信信号レベル調整装置であって、前記携帯通信端末で受信される信号の受信信号レベルを測定する受信信号レベル測定手段と、前記携帯通信端末の電子ボリュームの受信設定値を調整する電子ボリューム調整手段と、前記受信信号レベル測定手段により測定した受信信号レベル測定値と、前記電子ボリューム調整手段によって調整した電子ボリュームの受信設定値に対応する受信信号レベル目標値とに基づいて、３回以内の電子ボリューム受信設定値の調整で受信信号レベルの初期調整が完了するように、当該携帯通信端末の構成部品のバラツキを反映させた調整値を用いて前記電子ボリュームの受送信設定値を調整することにより受信信号レベルを初期調整する受信信号レベル初期調整手段と、を具備して成ることを特徴とする。
【０００９】
上記目的を達成するため、請求項３に記載の第３発明は、携帯通信端末の電子ボリュームの送信設定値および受信設定値を調整することにより前記携帯通信端末から送信される信号の送信信号レベルおよび前記携帯通信端末で受信される信号の受信信号レベルをそれぞれ初期調整する、携帯通信端末の通信信号レベル調整装置であって、前記携帯通信端末から送信される信号の送信信号レベルを測定する送信信号レベル測定手段と、前記携帯通信端末で受信される信号の受信信号レベルを測定する受信信号レベル測定手段と、前記携帯通信端末の電子ボリュームの送信設定値および受信設定値をそれぞれ調整する電子ボリューム調整手段と、前記送信信号レベル測定手段により測定した送信信号レベル測定値と、前記電子ボリューム調整手段によって調整した電子ボリュームの送信設定値に対応する送信信号レベル目標値とに基づいて、３回以内の電子ボリューム送信設定値の調整で送信信号レベルの初期調整が完了するように、当該携帯通信端末の構成部品のバラツキを反映させた調整値を用いて前記電子ボリュームの送信設定値を調整することにより送信信号レベルの初期調整を行う送信信号レベル初期調整手段と、前記受信信号レベル測定手段により測定した受信信号レベル測定値と、前記電子ボリューム調整手段によって調整した電子ボリュームの受信設定値に対応する受信信号レベル目標値とに基づいて、３回以内の電子ボリューム受信設定値の調整で受信信号レベルの初期調整が完了するように、当該携帯通信端末の構成部品のバラツキを反映させた調整値を用いて前記電子ボリュームの受信設定値を調整することにより受信信号レベルの初期調整を行う受信信号レベル初期調整手段と、を具備して成ることを特徴とする。
【００１０】
請求項４に記載の第４発明は、前記送信信号レベルを含む電波法に基づく各種要求事項を満足しているか否かの確認のための特性試験を自動的に実行する要求事項確認手段と、前記受信信号レベルを含む携帯通信端末に定められた方式を満足しているか否かの確認のための特性試験を自動的に実行する方式確認手段とをさらに備えることを特徴とする。
【００１１】
請求項５に記載の第５発明は、前記送信信号レベル初期調整手段は、良品判定された同一機種の携帯通信端末における電子ボリュームの送信設定値の平均値を電子ボリュームに設定した状態で前記送信信号レベル測定手段によって測定した送信信号レベル測定値が規格外である場合に限り、前記送信信号レベル測定値と前記平均値に対応する送信信号レベル目標値との差分値を固定係数で除算した演算値を前記平均値に加算して第１調整値を求め、該第１調整値に電子ボリュームの送信設定値を調整する電子ボリューム送信設定値の１回目の調整を行った状態で前記送信信号レベル測定手段によって送信信号レベルを測定し、得られた送信信号レベル測定値が規格外である場合に限り、１回目の調整前の送信信号レベル測定値と１回目の調整後の送信信号レベル測定値との差分値を１回目の調整前の電子ボリュームの送信設定値と１回目の調整後の電子ボリュームの送信設定値との差分値で除算して可変係数を求め、前記１回目の調整後の送信信号レベル測定値と前記第１調整値に対応する送信信号レベル目標値との差分値を前記可変係数で除算した演算値を前記平均値に加算して第２調整値を求め、該第２調整値に電子ボリュームの送信設定値を調整する２回目の電子ボリューム送信設定値の調整を行った状態で前記送信信号レベル測定手段によって送信信号レベルを測定し、得られた送信信号レベル測定値が規格外であるか否かを判定するようにしたことを特徴とする。
【００１２】
請求項６に記載の第６発明は、前記受信信号レベル初期調整手段は、良品判定された同一機種の携帯通信端末における電子ボリュームの受信設定値の平均値を電子ボリュームに設定した状態で前記受信信号レベル測定手段によって測定した受信信号レベル測定値が規格外である場合に限り、前記受信信号レベル測定値と前記平均値に対応する受信信号レベル目標値との差分値を固定係数で除算した演算値を前記平均値に加算して第１調整値を求め、該第１調整値に電子ボリュームの受信設定値を調整する電子ボリューム受信設定値の１回目の調整を行った状態で前記受信信号レベル測定手段によって受信信号レベルを測定し、得られた受信信号レベル測定値が規格外である場合に限り、１回目の調整前の受信信号レベル測定値と１回目の調整後の受信信号レベル測定値との差分値を１回目の調整前の電子ボリュームの受信設定値と１回目の調整後の電子ボリュームの受信設定値との差分値で除算して可変係数を求め、前記１回目の調整後の受信信号レベル測定値と前記第１調整値に対応する受信信号レベル目標値との差分値を前記可変係数で除算した演算値を前記平均値に加算して第２調整値を求め、該第２調整値に電子ボリュームの受信設定値を調整する２回目の電子ボリューム送信設定値の調整を行った状態で前記受信信号レベル測定手段によって受信信号レベルを測定し、得られた受信信号レベル測定値が規格外であるか否かを判定するようにしたことを特徴とする。
【００１３】
請求項７に記載の第７発明は、前記要求事項確認手段は、前記携帯通信端末から送信される信号の、送信電力、周波数安定度、変調精度、隣接チャネル漏洩電力および占有周波数帯域幅の各項目について、前記送信信号レベル測定手段によって測定される前記携帯通信端末から送信される信号の周波数および電力の測定値と、前記電子ボリューム調整手段によって調整される前記携帯通信端末の電子ボリュームの送信設定値とを測定および制御可能な試験プログラムと、該試験プログラムを内蔵するパーソナルコンピュータとによって構成されることを特徴とする。
【００１４】
請求項８に記載の第８発明は、前記方式確認手段は、前記携帯通信端末で受信される信号の、受信感度、受信信号レベル検出精度および過大入力特性の各項目について、前記受信信号レベル測定手段によって測定される前記携帯通信端末で受信される信号の周波数および電力の測定値と、前記電子ボリューム調整手段によって調整される前記携帯通信端末の電子ボリュームの受信設定値とを測定および制御可能な試験プログラムと、該試験プログラムを内蔵するパーソナルコンピュータとによって構成されることを特徴とする。
【発明の効果】
【００１５】
第１発明によれば、携帯通信端末の電子ボリュームの送信設定値を調整することにより前記携帯通信端末から送信される信号の送信信号レベルを初期調整する、携帯通信端末の通信信号レベル調整装置では、前記携帯通信端末から送信される信号の送信信号レベルを送信信号レベル測定手段によって測定し、前記携帯通信端末の電子ボリュームの送信設定値を電子ボリューム調整手段によって調整し、前記送信信号レベル測定手段により測定した送信信号レベル測定値と、前記電子ボリューム調整手段によって調整した電子ボリュームの送信設定値に対応する送信信号レベル目標値とに基づいて、３回以内の電子ボリューム送信設定値の調整で送信信号レベルの初期調整が完了するように、送信信号レベル初期調整手段によって当該携帯通信端末の構成部品のバラツキを反映させた調整値を用いて前記電子ボリュームの送信設定値を調整することにより送信信号レベルを初期調整するから、最大３回の電子ボリューム送信設定値の調整で当該携帯通信端末の送信信号レベルの初期調整が完了することになる。したがって、携帯通信端末の製造ライン等における送信信号レベルの初期調整を効率化するようにした携帯通信端末の通信信号レベル調整装置を提供することができる。
【００１６】
第２発明によれば、携帯通信端末の電子ボリュームの受信設定値を調整することにより前記携帯通信端末で受信される信号の受信信号レベルを初期調整する、携帯通信端末の通信信号レベル調整装置では、前記携帯通信端末で受信される信号の受信信号レベルを受信信号レベル測定手段によって測定し、前記携帯通信端末の電子ボリュームの受信設定値を電子ボリューム調整手段によって調整し、前記受信信号レベル測定手段により測定した受信信号レベル測定値と、前記電子ボリューム調整手段によって調整した電子ボリュームの受信設定値に対応する受信信号レベル目標値とに基づいて、３回以内の電子ボリューム受信設定値の調整で受信信号レベルの初期調整が完了するように、受信信号レベル初期調整手段によって当該携帯通信端末の構成部品のバラツキを反映させた調整値を用いて前記電子ボリュームの受信設定値を調整することにより受信信号レベルを初期調整するから、最大３回の電子ボリューム受信設定値の調整で当該携帯通信端末の受信信号レベルの初期調整が完了することになる。したがって、携帯通信端末の製造ライン等における受信信号レベルの初期調整を効率化するようにした携帯通信端末の通信信号レベル調整装置を提供することができる。
【００１７】
第３発明によれば、携帯通信端末の電子ボリュームの送信設定値および受信設定値を調整することにより前記携帯通信端末から送信される信号の送信信号レベルおよび前記携帯通信端末で受信される信号の受信信号レベルをそれぞれ初期調整する、携帯通信端末の通信信号レベル調整装置では、前記携帯通信端末から送信される信号の送信信号レベルを送信信号レベル測定手段がによって測定し、前記携帯通信端末で受信される信号の受信信号レベルを受信信号レベル測定手段によって測定し、前記携帯通信端末の電子ボリュームの送信設定値および受信設定値を電子ボリューム調整手段によってそれぞれ調整し、前記送信信号レベル測定手段により測定した送信信号レベル測定値と、前記電子ボリューム調整手段によって調整した電子ボリュームの送信設定値に対応する送信信号レベル目標値とに基づいて、３回以内の電子ボリューム送信設定値の調整で送信信号レベルの初期調整が完了するように、送信信号レベル初期調整手段によって当該携帯通信端末の構成部品のバラツキを反映させた調整値を用いて前記電子ボリュームの送信設定値を調整することにより送信信号レベルを初期調整し、前記受信信号レベル測定手段により測定した受信信号レベル測定値と、前記電子ボリューム調整手段によって調整した電子ボリュームの受信設定値に対応する受信信号レベル目標値とに基づいて、３回以内の電子ボリューム受信設定値の調整で受信信号レベルの初期調整が完了するように、受信信号レベル初期調整手段によって当該携帯通信端末の構成部品のバラツキを反映させた調整値を用いて前記電子ボリュームの受信設定値を調整することにより受信信号レベルを初期調整するから、最大３回の電子ボリューム送信設定値の調整で当該携帯通信端末の送信信号レベルの初期調整が完了するとともに、最大３回の電子ボリューム受信設定値の調整で当該携帯通信端末の受信信号レベルの初期調整が完了することになる。したがって、携帯通信端末の製造ライン等における送信信号レベルおよび受信信号レベルの初期調整を効率化するようにした携帯通信端末の通信信号レベル調整装置を提供することができる。
【００１８】
第４発明によれば、前記送信信号レベルを含む電波法に基づく各種要求事項を満足しているか否かの確認のための特性試験を自動的に実行する要求事項確認手段と、前記受信信号レベルを含む携帯通信端末に定められた方式を満足しているか否かの確認のための特性試験を自動的に実行する方式確認手段とをさらに備えるから、前記送信信号レベルを含む電波法に基づく各種要求事項を満足しているか否かならびに前記受信信号レベルを含む携帯通信端末に定められた方式を満足しているか否かを自動的に確認できるようになるので、携帯通信端末の製造ライン等における携帯通信端末の初期調整をさらに効率化することができる。
【００１９】
第５発明によれば、前記送信信号レベル初期調整手段は、良品判定された同一機種の携帯通信端末における電子ボリュームの送信設定値の平均値を電子ボリュームに設定した状態で前記送信信号レベル測定手段によって測定した送信信号レベル測定値が規格外である場合に限り、前記送信信号レベル測定値と前記平均値に対応する送信信号レベル目標値との差分値を固定係数で除算した演算値を前記平均値に加算して第１調整値を求め、該第１調整値に電子ボリュームの送信設定値を調整する電子ボリューム送信設定値の１回目の調整を行った状態で前記送信信号レベル測定手段によって送信信号レベルを測定し、得られた送信信号レベル測定値が規格外である場合に限り、１回目の調整前の送信信号レベル測定値と１回目の調整後の送信信号レベル測定値との差分値を１回目の調整前の電子ボリュームの送信設定値と１回目の調整後の電子ボリュームの送信設定値との差分値で除算して可変係数を求め、前記１回目の調整後の送信信号レベル測定値と前記第１調整値に対応する送信信号レベル目標値との差分値を前記可変係数で除算した演算値を前記平均値に加算して第２調整値を求め、該第２調整値に電子ボリュームの送信設定値を調整する２回目の電子ボリューム送信設定値の調整を行った状態で前記送信信号レベル測定手段によって送信信号レベルを測定し、得られた送信信号レベル測定値が規格外であるか否かを判定するようにしたから、大部分の場合は２回目の電子ボリューム送信設定値の調整で当該携帯通信端末の送信信号レベルの初期調整を完了させることができ、２回目の電子ボリューム送信設定値の調整後に送信信号レベル測定値が規格外の場合に限り、３回目の電子ボリューム送信設定値の調整を行うことにより送信信号レベル測定値が確実に規格内に収まることになる。したがって、最大３回の電子ボリューム送信設定値の調整で当該携帯通信端末の送信信号レベルの初期調整を完了させることが可能になる。
【００２０】
第６発明によれば、前記受信信号レベル初期調整手段は、良品判定された同一機種の携帯通信端末における電子ボリュームの受信設定値の平均値を電子ボリュームに設定した状態で前記受信信号レベル測定手段によって測定した受信信号レベル測定値が規格外である場合に限り、前記受信信号レベル測定値と前記平均値に対応する受信信号レベル目標値との差分値を固定係数で除算した演算値を前記平均値に加算して第１調整値を求め、該第１調整値に電子ボリュームの受信設定値を調整する電子ボリューム受信設定値の１回目の調整を行った状態で前記受信信号レベル測定手段によって受信信号レベルを測定し、得られた受信信号レベル測定値が規格外である場合に限り、１回目の調整前の受信信号レベル測定値と１回目の調整後の受信信号レベル測定値との差分値を１回目の調整前の電子ボリュームの受信設定値と１回目の調整後の電子ボリュームの受信設定値との差分値で除算して可変係数を求め、前記１回目の調整後の受信信号レベル測定値と前記第１調整値に対応する受信信号レベル目標値との差分値を前記可変係数で除算した演算値を前記平均値に加算して第２調整値を求め、該第２調整値に電子ボリュームの受信設定値を調整する２回目の電子ボリューム受信設定値の調整を行った状態で前記受信信号レベル測定手段によって受信信号レベルを測定し、得られた受信信号レベル測定値が規格外であるか否かを判定するようにしたから、大部分の場合は２回目の電子ボリューム受信設定値の調整で当該携帯通信端末の受信信号レベルの初期調整を完了させることができ、２回目の電子ボリューム受信設定値の調整後に受信信号レベル測定値が規格外の場合に限り、３回目の電子ボリューム受信設定値の調整を行うことにより受信信号レベル測定値が確実に規格内に収まることになる。したがって、最大３回の電子ボリューム受信設定値の調整で当該携帯通信端末の受信信号レベルの初期調整を完了させることが可能になる。
【００２１】
第７発明によれば、前記要求事項確認手段は、前記携帯通信端末から送信される信号の、送信電力、周波数安定度、変調精度、隣接チャネル漏洩電力および占有周波数帯域幅の各項目について、前記送信信号レベル測定手段によって測定される前記携帯通信端末から送信される信号の周波数および電力の測定値と、前記電子ボリューム調整手段によって調整される前記携帯通信端末の電子ボリュームの送信設定値とを測定および制御可能な試験プログラムと、該試験プログラムを内蔵するパーソナルコンピュータとによって構成されるから、所望の通り、送信信号レベルを含む電波法に基づく各種要求事項を満足しているか否かの確認のための特性試験を自動的に実行し得るようになる。
【００２２】
第８発明によれば、前記方式確認手段は、前記携帯通信端末で受信される信号の、受信感度、受信信号レベル検出精度および過大入力特性の各項目について、前記受信信号レベル測定手段によって測定される前記携帯通信端末で受信される信号の周波数および電力の測定値と、前記電子ボリューム調整手段によって調整される前記携帯通信端末の電子ボリュームの受信設定値とを測定および制御可能な試験プログラムと、該試験プログラムを内蔵するパーソナルコンピュータとによって構成されるから、所望の通り、携帯通信端末に定められた方式を満足しているか否かの確認のための特性試験を自動的に実行し得るようになる。
【発明を実施するための最良の形態】
【００２３】
以下、本発明を実施するための最良の形態を図面に基づき詳細に説明する。
【００２４】
図１は本発明の第１実施形態の携帯通信端末の通信信号レベル調整装置の構成を示すブロック図である。本実施形態の携帯通信端末の通信信号レベル調整装置１０は、携帯通信端末の一種である携帯電話機１１の電子ボリュームの送信設定値および受信設定値を調整することにより携帯電話機１１から送信される信号の送信信号レベルおよび携帯電話機１１で受信される信号の受信信号レベルをそれぞれ初期調整するものであり、図１に示すように、無線機テスタ（以下、ＴＳＥという）１２と、パーソナルコンピュータ（以下、ＰＣという）１３と、チャネル指定機アダプタ（以下、ＡＤＰという）１４とから成る。
【００２５】
上記ＴＳＥ１２は、携帯電話機１１の無線モジュール（以下、ＲＦモジュールという）１５の送信回路１５ａから送信される信号の送信信号レベルである送信電力を測定する送信信号レベル測定部（以下、ＲＸ部という）１２ａと、携帯電話機１１の受信信号レベルを測定するために携帯電話機１１のＲＦモジュール１５の受信回路１５ｂに規定レベルの信号を送信する受信信号レベル測定用信号送信部１２ｂ（以下、ＴＸ部という）とから成る。
【００２６】
上記ＰＣ１３は、上述した送信電力を含む電波法に基づく各種要求事項を満足しているか否かの確認のための特性試験を自動的に実行する試験プログラム１（図示せず）と、上述した受信検出レベルを含む携帯電話機に定められた方式を満足しているか否かの確認のための特性試験を自動的に実行する試験プログラム２（図示せず）とを内蔵するとともに、良品（ＯＫ）判定／不良品（ＮＧ）判定された同一機種の携帯電話機に関する電子ボリュームの送信設定値および受信設定値を記憶する記憶手段（図示せず）を内蔵するものである。
上記試験プログラム１は、後に詳細に説明するが、ＲＸ部１２ａにより測定した送信電力測定値と、後述するようにしてＡＤＰ１４によって調整した電子ボリュームの送信設定値に対応する送信電力目標値とに基づいて、３回以内の電子ボリューム送信設定値の調整で送信電力の初期調整が完了するように、当該携帯通信端末の構成部品のバラツキを反映させた調整値を用いて、電子ボリュームの送信設定値を調整することにより送信電力の初期調整を行うとともに、上記電波法に基づく各種要求事項を満足しているか否かの確認を行うものである。なお、上記電波法に基づく各種要求事項としては、上記送信電力の他、周波数安定度、変調精度、隣接チャネル漏洩電力および占有周波数帯域がある。
上記試験プログラム２は、ＴＸ部１２ｂにより携帯電話機１１のＲＦモジュール１５の受信回路１５ｂに規定レベルの信号を送信したときの携帯電話機１１のベースバンドＬＳＩ１６における受信信号レベル（受信検出レベル）を測定した受信検出レベル測定値と、後述するようにしてＡＤＰ１４によって調整した電子ボリュームの受信設定値に対応する受信検出レベル目標値とに基づいて、３回以内の電子ボリューム受信設定値の調整で受信検出レベルの初期調整が完了するように、当該携帯通信端末の構成部品のバラツキを反映させた調整値を用いて、電子ボリュームの受信設定値を調整することにより受信検出レベルの初期調整を行うとともに、上記携帯電話機に定められた方式を満足しているか否かの確認を行うものである。なお、上記携帯電話機に定められた方式としては、上記受信検出レベルの他、受信感度、受信信号レベル検出精度および過大入力特性がある。
【００２７】
上記ＡＤＰ１４は、ＰＣ１３から入力される調整指令信号に基づいて携帯電話機１１のモデム部ＬＳＩ（以下、ベースバンドＬＳＩという）１６内の電子ボリューム（送受信レベル可変レジスタ）１６ａの送信設定値および受信設定値をそれぞれ調整することにより、携帯電話機１１から送信される信号の送信電力および携帯電話機１１で受信される信号の受信検出レベルをそれぞれ可変制御するものである。なお、図１において、１６ｂは上記ベースバンドＬＳＩ１６に含まれる中央制御ユニット（ＣＰＵ）であり、１７は初期調整完了時の電子ボリューム１６ａの送信設定値および受信設定値を書き込むためのＥＥＰＲＯＭ（消去可能ＲＯＭ）である。
【００２８】
次に、本実施形態の携帯通信端末の通信信号レベル調整装置における送信信号レベルの初期調整について説明する。図２は第１実施形態において通信信号レベル調整装置１０によって実施される携帯電話機１１の送信電力初期調整に関する処理を示すフローチャートである。まず、図２のステップＳ１では、調整済みの同一機種の携帯電話機（すなわち、良品判定された同一機種の携帯電話機）１１における電子ボリューム１６ａの送信設定値の平均値ｍをＡＤＰ１４経由で調整対象とする携帯電話機１１の電子ボリューム１６ａに設定する。次のステップＳ２では、ＴＳＥ１２のＲＸ部１２ａによって携帯電話機１１の送信電力を測定する。次のステップＳ３では、測定結果である送信電力測定値が規格内に入っているか否かの判定を行う。ここで、送信電力測定値が規格内に入っているか否かの判定とは、例えば、ステップＳ１で設定した電子ボリューム１６ａの送信設定値に対応する送信電力目標値と送信電力測定値とが一致した場合に規格内に入っていると判定し、一致しない場合に規格外であると判定するものとする。
【００２９】
なお、上記送信電力目標値としては、例えば上述した従来技術の特許文献１の図５に例示されるような、送信電力の最小電力から最大電力までの範囲と電子ボリュームのボリューム値の最小値から最大値までの範囲との関係を規定する特性曲線で表わされる送信電力目標値を用いたり、電波法で定められた電子ボリュームのボリューム値毎の送信電力目標値を用いたり、当該機種の携帯電話機に要求される送信電力特性に基づく送信電力目標値を用いたりすることができる。また、上記送信電力目標値は、所定の許容誤差αを含むこともでき、その場合、（送信電力目標値−α）≦送信電力測定値≦（送信電力目標値＋α）であれば送信電力測定値が規格内に入っていると判定し、送信電力測定値＜（送信電力目標値−α）または（送信電力目標値＋α）＞送信電力測定値であれば規格外であると判定する。
【００３０】
上記ステップＳ３の測定結果判定において、送信電力測定値が規格内に入っている場合（ＧＯＯＤの場合）には、次のステップＳ４で、電子ボリューム１６ａの送信設定値を上記ステップＳ１で設定したボリューム値に決定して、ＰＣ１３からの指令により当該ボリューム値を携帯電話機１１のＥＥＰＲＯＭ１７に書き込んで初期調整を完了する。一方、上記ステップＳ３の測定結果判定において、送信電力測定値が規格外の場合（ＮＧの場合）には、処理をステップＳ５に進める。
【００３１】
ステップＳ５では、調整１回目か否かをチェックする。この場合、調整１回目に該当するので、処理はステップＳ５のＹＥＳからステップＳ６に進むことになる。ステップＳ６では、以下に説明する「固定係数を用いる１回目の送信設定値調整」を行う。この「固定係数を用いる１回目の送信設定値調整」では、上記ステップＳ２で得た送信電力測定値と、上記ステップＳ１で設定した送信設定値の平均値ｍに対応する送信電力目標値との差分値を算出し、その差分値を固定係数Ａで除算した演算値Ｂを前記平均値ｍに加算して電子ボリューム１６ａの次回電子ボリューム値である第１調整値Ｈ（Ｈ＝ｍ＋Ｂ）を算出する。そして、次のステップＳ７では、上記第１調整値ＨをＡＤＰ１４経由で調整対象とする携帯電話機１１の電子ボリューム１６ａの送信設定値として設定した後、処理を設定値限界判定のステップＳ８のＮＯからステップＳ２以降へ戻す。なお、上記ステップＳ８の設定値限界判定において、設定値限界であると判定された場合には、処理をステップＳ８のＹＥＳからステップＳ９の不良処理ルーチンに進めて、当該携帯電話機１１の不良処理を行う。
【００３２】
上記１回目の送信設定値調整を行った後のステップＳ２では、ＴＳＥ１２のＲＸ部１２ａによって携帯電話機１１の送信電力を測定し、次のステップＳ３では、測定結果である送信電力測定値が規格内に入っているか否かの判定を行う。この測定結果判定において、送信電力測定値が規格内に入っている場合（ＧＯＯＤの場合）には、次のステップＳ４で、電子ボリューム１６ａの送信設定値を上記ステップＳ７で設定したボリューム値に決定して、ＰＣ１３からの指令により当該ボリューム値を携帯電話機１１のＥＥＰＲＯＭ１７に書き込んで初期調整を完了し、送信電力測定値が規格外の場合（ＮＧの場合）には、処理をステップＳ５に進める。
【００３３】
ステップＳ５では、調整１回目か否かをチェックする。この場合、調整２回目に該当するので、処理はステップＳ５のＮＯからステップＳ１０に進むことになる。ステップＳ１０では、以下に説明する「可変係数を用いる２回目の送信設定値調整」を行う。この「可変係数を用いる２回目の送信設定値調整」では、まず、前回の送信電力測定値である（ｎ−１）測定値と今回の送信電力測定値であるｎ測定値との差分値である、送信電力の調整差分値Ｄ（Ｄ＝（ｎ−１）測定値−ｎ測定値）を算出し、次に、前回の電子ボリューム値である（ｍ−１）回目電子ボリューム値と今回の電子ボリューム値であるｍ回目電子ボリューム値との差分値である、電子ボリューム値の調整差分値Ｅ（Ｅ＝（ｍ−１）回目電子ボリューム値−ｍ回目電子ボリューム値）を算出し、差分値Ｄを差分値Ｅで除算して可変係数Ｆ（Ｆ＝Ｄ÷Ｅ）を算出し、今回の送信電力測定値であるｎ測定値と上記１回目の送信設定値調整による電子ボリューム値Ｈに対応する送信電力目標値との差分値を算出し、その差分値を上記可変係数Ｆで除算した演算値Ｇ（Ｇ＝（ｎ測定値−目標値）÷Ｆ）を算出し、その演算値Ｇを前記平均値ｍに加算して電子ボリューム１６ａの次回電子ボリューム値である第２調整値Ｈ（Ｈ＝ｍ＋Ｇ）を算出する。そして、次のステップＳ７では、上記第２調整値ＨをＡＤＰ１４経由で調整対象とする携帯電話機１１の電子ボリューム１６ａの送信設定値として設定した後、処理を設定値限界判定のステップＳ８のＮＯからステップＳ２以降へ戻す。なお、上記ステップＳ８の設定値限界判定において、設定値限界であると判定された場合には、処理をステップＳ８のＹＥＳからステップＳ９の不良処理ルーチンに進めて、当該携帯電話機１１の不良処理を行う。
【００３４】
上記本実施形態の携帯通信端末の通信信号レベル調整装置における送信電力の初期調整では、上述した特許文献１記載の従来技術のように「携帯電話機のＲＦモジュールやベースバンドＬＳＩ等のバラツキを吸収するために、調整済みの同一機種の携帯電話機における電子ボリュームの送信設定値の平均値ｍを調整対象とする携帯通信端末の電子ボリュームに設定したときの送信電力測定値と、該送信設定値に対応する送信信号レベル目標値との差分値を固定係数Ａで除算した演算値Ｂを用いて次回の電子ボリュームの送信設定値Ｃ＝ｍ＋Ｂを算出する送信設定値の調整を繰り返す」のではなく、１回目の送信設定値の調整のみは固定係数Ａを用いるが、２回目以降の送信設定値の調整には、固定係数Ａの代わりに調整対象とする携帯電話機固有のバラツキを的確に反映させた可変係数Ｆを用いて次回の電子ボリュームの送信設定値Ｈ＝ｍ＋Ｇを算出するようにしたから、（１）電子ボリュームの送信設定値調整に伴う送信電力測定値の変動が小さい場合には、固定係数Ａに比べて可変係数Ｆが小さくなるので、送信設定値が大きく変化するため、送信電力測定値が送信電力目標値に近付いて規格内に入り易くなり、調整回数が減少し、調整時間が短縮されることになり、（２）電子ボリュームの送信設定値調整に伴う送信電力測定値の変動が大きい場合には、固定係数Ａに比べて可変係数Ｆが大きくなるので、送信設定値が小さく変化するため、送信電力測定値が送信電力目標値に近付いて規格内に入り易くなり、調整回数が減少し、調整時間が短縮されることになる。なお、発明者は、２回目の送信設定値の調整で調整対象とする携帯電話機の内の９０％程度の携帯電話機の調整が完了し、３回目の送信設定値の調整では、不良処理された携帯電話機を除く全ての携帯電話機の調整が完了することを試験によって確認した。したがって、最大３回の電子ボリュームの送信設定値の調整で当該携帯電話機の送信信号レベル（送信電力）の初期調整を完了させることができるようになる。
【００３５】
次に、本実施形態の携帯通信端末の通信信号レベル調整装置における受信信号レベルの初期調整について説明する。図３は第１実施形態において通信信号レベル調整装置１０によって実施される携帯電話機１１の受信検出レベル初期調整に関する処理を示すフローチャートである。まず、図３のステップＳ１１では、調整済みの同一機種の携帯電話機（すなわち、良品判定された同一機種の携帯電話機）１１における電子ボリューム１６ａの受信設定値の平均値ｍをＡＤＰ１４経由で調整対象とする携帯電話機１１の電子ボリューム１６ａに設定する。次のステップＳ１２では、基本受信レベルの設定を行う。この基本受信レベルの設定では、まず、基本受信レベルを「小」に設定してステップＳ１３〜ステップＳ２１の受信信号レベルの初期調整を行い、次に基本受信レベルを「中」に設定してステップＳ１３〜ステップＳ２１の受信信号レベルの初期調整を行い、最後に基本受信レベルを「大」に設定してステップＳ１３〜ステップＳ２１の受信信号レベルの初期調整を行うものとする。
【００３６】
ステップＳ１３では、ＴＳＥ１２のＴＸ部１２ｂにより携帯電話機１１のＲＦモジュール１５の受信回路１５ｂに規定レベルの信号を送信したときの携帯電話機１１のベースバンドＬＳＩ１６における受信信号レベル（受信検出レベル）を測定する。次のステップＳ１４では、測定結果である受信検出レベル測定値が規格内に入っているか否かの判定を行う。ここで、受信検出レベル測定値が規格内に入っているか否かの判定とは、例えば、ステップＳ１１で設定した電子ボリューム１６ａの受信設定値に対応する受信検出レベル目標値と受信検出レベル測定値とが一致した場合に規格内に入っていると判定し、一致しない場合に規格外であると判定するものとする。なお、上記受信検出レベル目標値については、上述した送信電力目標値と同様にして、受信検出レベルの最小検出レベルから最検出レベルまでの範囲と電子ボリュームのボリューム値の最小値から最大値までの範囲との関係を規定する特性曲線で表わされる受信検出レベル目標値を用いたり、電子ボリュームのボリューム値毎の受信検出レベル目標値を用いたり、当該機種の携帯電話機に要求される受信検出レベル特性に基づく受信検出レベル目標値を用いたりすることができる。また、上記受信検出レベル目標値は、所定の許容誤差αを含むこともでき、その場合、（受信検出レベル目標値−α）≦受信検出レベル測定値≦（受信検出レベル＋α）であれば受信検出レベル測定値が規格内に入っていると判定し、受信検出レベル測定値＜（受信検出レベル目標値−α）または（受信検出レベル目標値＋α）＞受信検出レベル測定値であれば規格外であると判定する。
【００３７】
上記ステップＳ１４の測定結果判定において、受信検出レベル測定値が規格内に入っている場合（ＧＯＯＤの場合）には、次のステップＳ１５で、電子ボリューム１６ａの受信設定値を上記ステップＳ１１で設定したボリューム値に決定して、ＰＣ１３からの指令により当該ボリューム値を携帯電話機１１のＥＥＰＲＯＭ１７に書き込んで初期調整を完了する。一方、上記ステップＳ１４の測定結果判定において、受信検出レベル測定値が規格外の場合（ＮＧの場合）には、処理をステップＳ１６に進める。
【００３８】
ステップＳ１６では、調整１回目か否かをチェックする。この場合、調整１回目に該当するので、処理はステップＳ１６のＹＥＳからステップＳ１７に進むことになる。ステップＳ１７では、以下に説明する「固定係数を用いる１回目の受信設定値調整」を行う。この「固定係数を用いる１回目の受信設定値調整」では、上記ステップＳ１３で得た受信検出レベル測定値と、上記ステップＳ１１で設定した受信設定値の平均値ｍに対応する受信検出レベル目標値との差分値を算出し、その差分値を固定係数Ａで除算した演算値Ｂを前記平均値ｍに加算して電子ボリューム１６ａの次回電子ボリューム値である第１調整値Ｈ（Ｈ＝ｍ＋Ｂ）を算出する。そして、次のステップＳ１８では、上記第１調整値ＨをＡＤＰ１４経由で調整対象とする携帯電話機１１の電子ボリューム１６ａの受信設定値として設定した後、処理を設定値限界判定のステップＳ１９のＮＯからステップＳ１３以降へ戻す。なお、上記ステップＳ１９の設定値限界判定において、設定値限界であると判定された場合には、処理をステップＳ１９のＹＥＳからステップＳ２０の不良処理ルーチンに進めて、当該携帯電話機１１の不良処理を行う。
【００３９】
上記１回目の受信設定値調整を行った後のステップＳ１３では、ＴＳＥ１２のＴＸ部１２ｂにより携帯電話機１１のＲＦモジュール１５の受信回路１５ｂに規定レベルの信号を送信したときの携帯電話機１１のベースバンドＬＳＩ１６における受信信号レベル（受信検出レベル）を測定し、次のステップＳ１４では、測定結果である受信検出レベル測定値が規格内に入っているか否かの判定を行う。この測定結果判定において、受信検出レベル測定値が規格内に入っている場合（ＧＯＯＤの場合）には、次のステップＳ１５で、電子ボリューム１６ａの受信設定値を上記ステップＳ１８で設定したボリューム値に決定して、ＰＣ１３からの指令により当該ボリューム値を携帯電話機１１のＥＥＰＲＯＭ１７に書き込んで初期調整を完了し、受信検出レベル測定値が規格外の場合（ＮＧの場合）には、処理をステップＳ１６に進める。
【００４０】
ステップＳ１６では、調整１回目か否かをチェックする。この場合、調整２回目に該当するので、処理はステップＳ１６のＮＯからステップＳ２１に進むことになる。ステップＳ２１では、以下に説明する「可変係数を用いる２回目の受信設定値調整」を行う。この「可変係数を用いる２回目の受信設定値調整」では、まず、前回の受信検出レベル測定値である（ｎ−１）測定値と今回の受信検出レベル測定値であるｎ測定値との差分値である、受信検出レベルの調整差分値Ｄ（Ｄ＝（ｎ−１）測定値−ｎ測定値）を算出し、次に、前回の電子ボリューム値である（ｍ−１）回目電子ボリューム値と今回の電子ボリューム値であるｍ回目電子ボリューム値との差分値である、電子ボリューム値の調整差分値Ｅ（Ｅ＝（ｍ−１）回目電子ボリューム値−ｍ回目電子ボリューム値）を算出し、差分値Ｄを差分値Ｅで除算して可変係数Ｆ（Ｆ＝Ｄ÷Ｅ）を算出し、今回の受信検出レベル測定値であるｎ測定値と上記１回目の受信設定値調整による電子ボリューム値Ｈに対応する受信検出レベル目標値との差分値を算出し、その差分値を上記可変係数Ｆで除算した演算値Ｇ（Ｇ＝（ｎ測定値−目標値）÷Ｆ）を算出し、その演算値Ｇを前記平均値ｍに加算して電子ボリューム１６ａの次回電子ボリューム値である第２調整値Ｈ（Ｈ＝ｍ＋Ｇ）を算出する。そして、次のステップＳ１８では、上記第２調整値ＨをＡＤＰ１４経由で調整対象とする携帯電話機１１の電子ボリューム１６ａの受信設定値として設定した後、処理を設定値限界判定のステップＳ１９のＮＯからステップＳ１３以降へ戻す。なお、上記ステップＳ１９の設定値限界判定において、設定値限界であると判定された場合には、処理をステップＳ１９のＹＥＳからステップＳ２０の不良処理ルーチンに進めて、当該携帯電話機１１の不良処理を行う。
【００４１】
上記本実施形態の携帯通信端末の通信信号レベル調整装置における受信検出レベルの初期調整では、上記送信電力の初期調整の場合と同様に、１回目の受信設定値の調整のみは固定係数Ａを用いるが、２回目以降の受信設定値の調整には、固定係数Ａの代わりに調整対象とする携帯電話機固有のバラツキを的確に反映させた可変係数Ｆを用いて次回の電子ボリュームの受信設定値Ｈ＝ｍ＋Ｇを算出するようにしたから、（１）電子ボリュームの受信設定値調整に伴う受信検出レベル測定値の変動が小さい場合には、固定係数Ａに比べて可変係数Ｆが小さくなるので、受信設定値が大きく変化するため、受信検出レベル測定値が受信検出レベル目標値に近付いて規格内に入り易くなり、調整回数が減少し、調整時間が短縮されることになり、（２）電子ボリュームの受信設定値調整に伴う受信検出レベル測定値の変動が大きい場合には、固定係数Ａに比べて可変係数Ｆが大きくなるので、受信設定値が小さく変化するため、受信検出レベル測定値が受信検出レベル目標値に近付いて規格内に入り易くなり、調整回数が減少し、調整時間が短縮されることになる。なお、発明者は、２回目の受信設定値の調整で調整対象とする携帯電話機の内の９０％程度の携帯電話機の調整が完了し、３回目の受信設定値の調整では、不良処理された携帯電話機を除く全ての携帯電話機の調整が完了することを試験によって確認した。したがって、基本受信レベルの「小」、「中」、「大」の各々につき最大３回の電子ボリュームの受信設定値の調整で当該携帯電話機の受信信号レベル（受信検出レベル）の初期調整を完了させることができるようになる。
【００４２】
次に、本実施形態の携帯通信端末の通信信号レベル調整装置における送信電力を含む電波法に基づく各種要求事項を満足しているか否かの確認のための特性試験および受信検出レベルを含む携帯電話機に定められた方式を満足しているか否かの確認のための特性試験について説明する。図４は第１実施形態において通信信号レベル調整装置１０によって実施される携帯電話機１１の自動試験および自動調整に関する処理を示すフローチャートである。まず、図４のステップＳ３１では、図３に示す基本受信レベルの「小」、「中」、「大」の各々に関する受信検出レベル初期調整を行い、次のステップＳ３２では受信検出レベルの試験結果判定（自動判定）を行う。ここで、不良品（ＮＧ）判定された場合には、処理をステップＳ３２のＮＧからステップＳ３３の不良処理ルーチンに進めて、当該携帯電話機１１の不良処理を行い、良品（ＧＯＯＤ）判定された場合には、処理をステップＳ３４に進める。ステップＳ３４では、受信レベル検出精度を測定し、次のステップＳ３５では受信レベル検出精度の試験結果判定（自動判定）を行う。ここで、不良品（ＮＧ）判定された場合には、処理をステップＳ３５のＮＧからステップＳ３３の不良処理ルーチンに進めて、当該携帯電話機１１の不良処理を行い、良品（ＧＯＯＤ）判定された場合には、処理をステップＳ３６に進める。ステップＳ３６では、過大入力特性を測定し、次のステップＳ３７では過大入力特性の試験結果判定（自動判定）を行う。ここで、不良品（ＮＧ）判定された場合には、処理をステップＳ３７のＮＧからステップＳ３３の不良処理ルーチンに進めて、当該携帯電話機１１の不良処理を行い、良品（ＧＯＯＤ）判定された場合には、処理をステップＳ３８に進める。ステップＳ３８では、受信感度を測定し、次のステップＳ３９では受信感度の試験結果判定（自動判定）を行う。ここで、不良品（ＮＧ）判定された場合には、処理をステップＳ３９のＮＧからステップＳ３３の不良処理ルーチンに進めて、当該携帯電話機１１の不良処理を行い、良品（ＧＯＯＤ）判定された場合には、処理をステップＳ４０に進める。ステップＳ４０では、図２に示す送信電力初期調整を行い、次のステップＳ４１では送信電力の試験結果判定（自動判定）を行う。ここで、不良品（ＮＧ）判定された場合には、処理をステップＳ４１のＮＧからステップＳ３３の不良処理ルーチンに進めて、当該携帯電話機１１の不良処理を行い、良品（ＧＯＯＤ）判定された場合には、処理をステップＳ４２に進める。
【００４３】
ステップＳ４２では、送信項目測定を行う。この送信項目測定においては、ＴＳＥ１２のＲＸ部１２ａによって、携帯電話機１１から送信される信号の、送信電力、周波数安定度、変調精度、隣接チャネル漏洩電力および占有周波数帯域幅の各項目についての測定を行う。次のステップＳ４３では、上述した測定項目の各々について試験結果判定（自動判定）を行う。ここで、１項目でも不良品（ＮＧ）判定された場合には、処理をステップＳ４３のＮＧからステップＳ３３の不良処理ルーチンに進めて、当該携帯電話機１１の不良処理を行い、全項目が良品（ＧＯＯＤ）判定された場合には、処理をステップＳ４４の良品処理ルーチンに進めて、当該携帯電話機１１の良品処理を行う。
【００４４】
上記本実施形態の携帯通信端末の通信信号レベル調整装置における携帯電話機１１の自動試験および自動調整によれば、送信電力を含む電波法に基づく各種要求事項を満足しているか否かならびに受信検出レベルを含む携帯通信端末に定められた方式を満足しているか否かを自動的に確認できるようになるので、携帯電話機の製造ライン等における携帯電話機の初期調整をさらに効率化することができるようになり、携帯電話機の送信電力初期調整費用および受信検出レベル初期調整費用ならびに試験費用を削減することができるようになる。
【図面の簡単な説明】
【００４５】
【図１】本発明の第１実施形態の携帯通信端末の通信信号レベル調整装置の構成を示すブロック図である。
【図２】第１実施形態において通信信号レベル調整装置によって実施される携帯電話機の送信電力初期調整に関する処理を示すフローチャートである。
【図３】第１実施形態において通信信号レベル調整装置によって実施される携帯電話機の受信検出レベル初期調整に関する処理を示すフローチャートである。
【図４】第１実施形態において通信信号レベル調整装置によって実施される携帯電話機の自動試験および自動調整に関する処理を示すフローチャートである。
【図５】従来の携帯通信端末の送信電力調整装置によって実施される携帯電話機の送信電力初期調整に関する処理を示すフローチャートである。
【符号の説明】
【００４６】
１０  携帯通信端末の通信信号レベル調整装置
１１  携帯通信端末（携帯電話機）
１２  無線機テスタ（ＴＳＥ）
１２ａ  送信信号レベル測定部（ＲＸ部）
１２ｂ  受信信号レベル測定用信号送信部（ＴＸ部）
１３  パーソナルコンピュータ（ＰＣ）
１４  チャネル指定機アダプタ（ＡＤＰ）
１５  無線モジュール（ＲＦモジュール）
１５ａ  送信回路
１５ｂ  受信回路
１６  モデム部ＬＳＩ（ベースバンドＬＳＩ）
１６ａ  電子ボリューム（送受信レベル可変レジスタ）
１６ｂ  中央制御ユニット（ＣＰＵ）
１７  ＥＥＰＲＯＭ（消去可能ＲＯＭ）
【図１】
2007036594.tif 000003
【図２】
2007036594.tif 000004
【図３】
2007036594.tif 000005
【図４】
2007036594.tif 000006
【図５】
2007036594.tif 000007